【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
撮像信号を取得する撮像信号取得手段と、
光源光を取得し波長毎に分光する分光手段と、
この分光手段による分光結果に基づいて分光エネルギー分布を取得する分光エネルギー分布取得手段と、
前記分光エネルギー分布取得手段によって取得された分光エネルギー分布に基づいて、前記撮像信号取得手段により取得された撮像信号の利得を制御する利得制御手段と、
前記分光エネルギー分布取得手段によって取得された分光エネルギー分布に基づいて、色度座標を算出する座標算出手段と、
前記利得制御手段によって利得制御された結果得られた画像と前記座標算出手段によって算出された色度座標とを表示する表示手段と、
を備えたことを特徴とする画像処理装置。
【請求項２】
前記表示手段に表示された色度座標の位置を変更する変更手段と、
この変更手段によって変更された位置に基づいて、前記利得制御手段による制御を補正する補正手段と、
この補正手段によって補正された結果得られた画像と前記変更手段によって変更された色度座標とを前記表示手段に表示するよう制御する表示制御手段と、
を更に備えたことを特徴とする請求項１に記載の画像処理装置。
【請求項３】
前記利得制御手段は、前記撮像手段による撮像信号についてホワイトバランス調整を行うことを特徴とする請求項１又は２記載の画像処理装置。
【請求項４】
撮像信号を取得する撮像信号取得手段、光源光の分光結果を取得する取得手段、及び、表示手段を備えた画像処理装置が有するコンピュータを、
前記取得手段によって取得された分光結果に基づいて分光エネルギー分布を取得する分光エネルギー分布取得手段、
前記分光エネルギー分布取得手段によって取得された分光エネルギー分布に基づいて、前記撮像信号取得手段により取得された撮像信号の利得を制御する利得制御手段、
前記分光エネルギー分布取得手段によって取得された分光エネルギー分布に基づいて、色度座標を算出する座標算出手段、
前記利得制御手段によって利得制御された結果得られた画像と前記座標算出手段によって算出された色度座標とを前記表示手段に表示するよう制御する表示制御手段、
として機能させることを特徴とするプログラム。
【手続補正２】
【補正対象書類名】明細書
【補正対象項目名】発明の名称
【補正方法】変更
【補正の内容】
【発明の名称】画像処理装置、及び、プログラム
【手続補正３】
【補正対象書類名】明細書
【補正対象項目名】０００１
【補正方法】変更
【補正の内容】
【０００１】
本発明は、光源光の分光特性等に影響されずに簡易にホワイトバランス等の利得制御処理を行うことができる画像処理装置、及び、プログラムに関する。
【手続補正４】
【補正対象書類名】明細書
【補正対象項目名】００１５
【補正方法】変更
【補正の内容】
【００１５】
そこで本発明は、かかる従来の問題点に鑑みてなされたものであり、光源光の分光特性等に影響されずに簡易にホワイトバランス等の利得制御処理を行うことができる画像処理装置、及び、プログラムを提供することを目的とする。
【手続補正５】
【補正対象書類名】明細書
【補正対象項目名】００１６
【補正方法】変更
【補正の内容】
【００１６】
上記目的達成のため、請求項１記載の発明は、撮像信号を取得する撮像信号取得手段と、  光源光を取得し波長毎に分光する分光手段と、この分光手段による分光結果に基づいて分光エネルギー分布を取得する分光エネルギー分布取得手段と、前記分光エネルギー分布取得手段によって取得された分光エネルギー分布に基づいて、前記撮像信号取得手段により取得された撮像信号の利得を制御する利得制御手段と、前記分光エネルギー分布取得手段によって取得された分光エネルギー分布に基づいて、色度座標を算出する座標算出手段と、前記利得制御手段によって利得制御された結果得られた画像と前記座標算出手段によって算出された色度座標とを表示する表示手段と、を備えたことを特徴とする。
【手続補正６】
【補正対象書類名】明細書
【補正対象項目名】００１７
【補正方法】変更
【補正の内容】
【００１７】
また、請求項２記載の発明は、上記請求項１記載の発明において、前記表示手段に表示された色度座標の位置を変更する変更手段と、この変更手段によって変更された位置に基づいて、前記利得制御手段による制御を補正する補正手段と、この補正手段によって補正された結果得られた画像と前記変更手段によって変更された色度座標とを前記表示手段に表示するよう制御する表示制御手段と、を更に備えたことを特徴とする。
【手続補正７】
【補正対象書類名】明細書
【補正対象項目名】００１８
【補正方法】変更
【補正の内容】
【００１８】
また、請求項３記載の発明は、上記請求項１又は２記載の発明において、前記利得制御手段は、前記撮像手段による撮像信号についてホワイトバランス調整を行うことを特徴とする。
【手続補正８】
【補正対象書類名】明細書
【補正対象項目名】００１９
【補正方法】変更
【補正の内容】
【００１９】
また、上記目的達成のため、請求項４記載の発明は、撮像信号を取得する撮像信号取得手段、光源光の分光結果を取得する取得手段、及び、表示手段を備えた画像処理装置が有するコンピュータを、前記取得手段によって取得された分光結果に基づいて分光エネルギー分布を取得する分光エネルギー分布取得手段、前記分光エネルギー分布取得手段によって取得された分光エネルギー分布に基づいて、前記撮像信号取得手段により取得された撮像信号の利得を制御する利得制御手段、前記分光エネルギー分布取得手段によって取得された分光エネルギー分布に基づいて、色度座標を算出する座標算出手段、前記利得制御手段によって利得制御された結果得られた画像と前記座標算出手段によって算出された色度座標とを前記表示手段に表示するよう制御する表示制御手段、として機能させることを特徴とする。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】変更
【補正の内容】
【００３９】
本発明によれば、光源光の分光結果に基づいて分光エネルギー分布を取得し、この分光エネルギー分布に基づいて撮像信号の利得を制御する一方、この分光エネルギー分布に基づいて色度座標を算出し、利得制御された結果得られた画像とともに表示するよう制御するので、光源光の分光特性等に影響されずに簡易にホワイトバランス等の利得制御処理を行うことができる。
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】